Podtech/llm-jp-corpus-v4-ja_patent huggingface dataset:
(57)【要約】      （修正有）【課題】従来の眼鏡フレームにはない、スタイル、見た目の美しさを備えたデザインの眼鏡を提供する。【解決手段】透明もしくは半透明の樹脂の間にブリザーブド加工された植物、ドライフラワー、金糸、金箔、プラチナ箔、宝石、石などをはさみ、溶剤と熱とプレスとでかためてつくり、それを眼鏡フレーム、または、眼鏡フレームの一部にした事を特徴とする。【選択図】図１
0003152919.tif 000002
【実用新案登録請求の範囲】
【請求項１】
眼鏡フレーム、又は、眼鏡フレームの一部において、透明もしくは、半透明の樹脂の中に、ブリザーブド加工された植物、ドライフラワー、金糸、金箔、プラチナ箔、宝石、石、等などを有する眼鏡フレーム。
【考案の詳細な説明】
【技術分野】
【０００１】この考案は、透明もしくは半透明の樹脂の間にブリザーブド加工された植物、ドライフラワー、金糸、金箔、プラチナ箔、宝石、石などをはさみ、溶剤と熱とプレスとでかためてつくった眼鏡または眼鏡フレームの一部に関するものである。
【背景技術】
【０００２】従来、眼鏡フレームやその一部において、樹脂の中にブリザーブド加工された植物、ドライフラワー、金糸、金箔、プラチナ箔、宝石、石等が入っている眼鏡フレームは皆無であった。
【考案の開示】
【考案が解決しようとする課題】
【０００３】従来の樹脂を使用した眼鏡フレームには、本考案のような眼鏡フレームがなかった。
本考案は、従来なかったスタイルを生み出すためになされたものである。
【課題を解決するための手段】
【０００４】透明もしくは半透明の樹脂の間にブリザーブド加工された植物、ドライフラワー、金糸、金箔、プラチナ箔、宝石、石などをはさみ、溶剤と熱とプレスとでかためてつくる。
以上の構成よりなる眼鏡フレームである。
【考案の効果】
【０００５】従来の眼鏡フレームにはない、スタイル、見た目の美しさ、デザインの眼鏡を提供できる。
【考案を実施するための最良の状態】
【０００６】以下、本考案の実施例について説明する。
透明、もしくは半透明の樹脂の間に、ブリザーブド加工された植物・ドライフラワー、金糸、金箔、プラチナ箔、宝石、石などをはさみ、溶剤と熱とプレスでかためてつくる。
本考案は、以上のような構造でつくれば、今迄見た事のないスタイル、見た目の美しさ、デザインの眼鏡フレームにする事ができる。
【図面の簡単な説明】
【０００７】
【図１】本考案の斜視図である。
【図２】本考案の使用中の斜視図である。
【符号の説明】
【０００８】１  透明もしくは半透明の樹脂でつくった眼鏡フレームの一部
２．ブリザーブド加工された植物
３．しん
【図１】
0003152919.tif 000003
【図２】
0003152919.tif 000004
(57)【要約】      （修正有）【課題】遠方から走ってくる自動車や自転車に自分の存在をいち早く確認させる事が出来、双方共に安全であり、また防犯性も備えた安全傘を提供する。【解決手段】スイッチケース５の上部にＬＥＤ球６を取り付け、中央部に上下移動可能な接触部１１と１１′を設け、下部に電池ケース７を設けたスイッチケース５を照明ケースの中に固定し、照明ケースを被せ、孔を傘の柄先端に装着することを特徴とする。【選択図】図２
0003152912.tif 000002
【実用新案登録請求の範囲】
【請求項１】
（イ）スイッチケース（５）の上部にＬＥＤ球（６）を設け、下部に電池ケース（７）を設け、中央部に接触部（１１）、（１１′）を設ける。
（ロ）スイッチケース（５）を照明ケース（３）の中に固定させる。
（ハ）照明ケース（３）を傘（１）の柄（２）先端に取り付ける。
以上の如く構成された照明器具付傘。
【考案の詳細な説明】
【考案の詳細な説明】
【産業上の利用分野】
【０００１】この考案は、傘（１）の柄（２）先端に照明器具を取り付けた傘である。
【背景技術】
【０００２】従来、傘は雨の日に出掛ける時、体が濡れないよう差し掛けるもので、安全性には欠けていた。
【考案が解決しようとする課題】
【０００３】これには次のような欠点があった。
（イ）雨の夜自転車で走行中視界が悪いため前方に傘を差して歩いている人がいても見えにくく発見が遅れ、急ブレーキをかけてスリップで転倒したり、人にぶつかる事もあったり、双方にとって危険であった。
（ロ）強風のどしゃ降り雨の夜、自動車で走行中、ライトの明かりでも視界が悪く、傘を差して歩いている人を近くまで接近して初めて確認できる事が多く、危険で事故になる事もあった。
（ハ）雨の夜傘を差して出掛けるのは、服や足元が濡れ、危険が伴うため気持ちが憂鬱であった。
【課題を解決するための手段】
【０００４】本考案は、その欠点を除く為に考案されたもので、これを図面によって説明すれば、
（イ）スイッチケース（５）の上部にＬＥＤ球（６）を設け、下部に電池ケース（７）を設け、中央部に上下移動可能な配線（１２）の接触部（１１）、（１１′）を設け、スイッチケース（５′）を被せる。
（ロ）照明ケース（３）の中央部にスイッチケース（５）を固定させ、輪ゴム（４）を装着した照明ケース（３′）を被せ締める。
（ハ）照明ケース（３′）の孔（９）を傘（１）の柄（２）先端に差し込み固定させる。
本考案は以上のような構成よりなる照明器具付傘である。
【作用】
【０００５】（イ）傘（１）を差し掛ける事により、照明ケース（３）内のスイッチケースが上向きになり、ボタン電池（８）の重みで電池ケース（７）が下へ降り、配線（１２）の先端の接触部（１１）が接触部（１１′）に接続し、スイッチが入りＬＥＤ球（６）が点灯するため、半透明プラスチック筒の照明ケース（３）が明るくなる。
（ロ）傘（１）を畳み、逆様に立掛ける事によりスイッチケース（５）の電池ケース（７）が押し下げられ、接触部（１１）と接触部（１１′）が離れ、スイッチが切れＬＥＤ球（６）が消灯する。
【実施例】
【０００６】以下、本考案の実施例について説明する。
（イ）スイッチケース（５）の上部にＬＥＤ球（６）を設け、中央部に電気を流す上下移動可能な接触部（１１）、（１１′）を設け、下部にボタン電池（８）を入れた電池ケース（７）を設け配線（１２）で繋ぐ。
（ロ）スイッチケース（５）にもう一方のスイッチケース（５′）を被せ蓋をする。
（ハ）照明ケース（３）の中央部にスイッチケース（５）を固定させ、輪ゴム（４）を装着した照明ケース（３′）を被せ締める。
（ニ）傘（１）の柄（２）先端に照明ケース（３′）の孔（９）を差しこみ固定する。
【考案の効果】
【０００７】本考案は以上のような構造でこれを使用する時は、
（イ）雨の夜、出かける時は傘（１）を差し掛ける事で自動的にスイッチが入り、照明ケース（３）が明るく照らされ、遠方を歩いている時に自動車や自転車に自分の存在を早めに確認され安全である。
（ロ）照明ケース（３）のスイッチが手動ではなく、自動で切り替わるため雨水で手を濡らす事無く、また、照明ケース（３′）のネジ部分（１０′）に輪ゴム（４）を装着しているため、締まれば密閉され雨水の浸入も無く、漏電等の心配はない。
（ハ）雨が止んだ夜道も畳んだ傘（１）を上方向に立てる事で照明ケース（３）が点灯するため、防犯の効果もある。
（ニ）自分や周囲の傘（１）の照明ケース（３）が色とりどりに点滅していると、憂鬱な雨の夜道も気持ちが明るく楽しい気分になり、癒しの効果もある。
（ホ）点滅ＬＥＤ球（６）で電池の寿命が長いので、度々換える必要がない。
（ヘ）照明ケース（３）内の先端部に反射鏡（１３）を取り付ける事でＬＥＤ球（６）の光りを反射し、より一層明るくなり確認されやすい。
（ト）傘（１）が壊れても照明ケース（３）は取り外しがきくので、新しい傘（１）に付け替えができ、節約することが可能である。
【図面の簡単な説明】
【図１】本考案の使用中の斜視図である。
【図２】本考案のスイッチケースの配線と蓋の正面図である。
【図３】本考案の照明ケースと蓋の正面断面図である。
【図４】本考案の照明ケース蓋の底面図である。
【図５】本考案のスイッチ部配線の斜視図である。
【図６】本考案のスイッチケースの斜視図である。
【符号の説明】１  傘    ２  柄    ３、３′  照明ケース    ４  輪ゴム
５、５′  スイッチケース    ６  ＬＥＤ球    ７  電池ケース
８  ボタン電池    ９  孔    １０、１０′  ネジ
１１、１１′  接触部    １２  配線    １３  反射鏡
【図１】
0003152912.tif 000003
【図２】
0003152912.tif 000004
【図３】
0003152912.tif 000005
【図４】
0003152912.tif 000006
【図５】
0003152912.tif 000007
【図６】
0003152912.tif 000008
(57)【要約】【課題】顔面に当てるだけで皮膚が温まり、血行が促進されリラックスできるとともに繰り返し使用可能なフェイスマスク及びアイマスクの提供を目的とする。【解決手段】目の部分と口の部分を切り抜いたフェイス形状の、第１樹脂シートと第２樹脂シートとを周縁部にて接合したフェイス形状の密封袋体の中に、酢酸ナトリウム水溶液と、反転可能又は復元可能な湾曲形状の金属片とを封入したことを特徴とする。【選択図】  図１
0003152946.tif 000002
【実用新案登録請求の範囲】
【請求項１】
目の部分と口の部分を切り抜いたフェイス形状の、第１樹脂シートと第２樹脂シートとを周縁部にて接合したフェイス形状の密封袋体の中に、
酢酸ナトリウム水溶液と、反転可能又は復元可能な湾曲形状の金属片とを封入したことを特徴とするフェイスマスク。
【請求項２】
目の部分を覆うアイマスク形状の、第１樹脂シートと第２樹脂シートとを周縁部にて接合したアイマスク形状の密封袋体の中に、酢酸ナトリウム水溶液と、反転可能又は復元可能な湾曲形状の金属片とを封入したことを特徴とするアイマスク。
【考案の詳細な説明】
【技術分野】
【０００１】
本考案は、顔面を温めて血行を促進するためのフェイスマスク又はアイマスクに関する。
【背景技術】
【０００２】
パック化粧液が含浸された不織シート製のフェイスマスクは公知である（特許文献１）。
しかし、携帯性に優れ、繰り返し使用可能な温熱のフェイスマスク又はアイマスクは知られていない。
【先行技術文献】
【特許文献】
【０００３】
【特許文献１】特開２００９−３１９６９号公報
【考案の開示】
【考案が解決しようとする課題】
【０００４】
本考案は、顔面に当てるだけで皮膚が温まり、血行が促進されリラックスできるとともに繰り返し使用可能なフェイスマスク及びアイマスクの提供を目的とする。
【課題を解決するための手段】
【０００５】
本考案にかかるフェイスマスクは、目の部分と口の部分を切り抜いたフェイス形状の、第１樹脂シートと第２樹脂シートとを周縁部にて接合したフェイス形状の密封袋体の中に、酢酸ナトリウム水溶液と、反転可能又は復元可能な湾曲形状の金属片とを封入したことを特徴とする。
【０００６】
また、本考案に係るアイマスクは、目の部分を覆うアイマスク形状の、第１樹脂シートと第２樹脂シートとを周縁部にて接合したアイマスク形状の密封袋体の中に、酢酸ナトリウム水溶液と、反転可能又は復元可能な湾曲形状の金属片とを封入したことを特徴とする。
【０００７】
ここで第１樹脂シートと第２樹脂シートとは概ね形状が同じで、水密性の合成樹脂シートである。
樹脂シートは不透明でもよいが、酢酸ナトリウムの結晶化状態が判別しやすい点から透明又は半透明がよい。
また、樹脂シートの材質は酢酸ナトリウム水溶液が透過しないものであればポリエチレン、ポリプロピレン、ポリオレフィン、ポリエステル等制限はないが、顔面に当てた際に顔面形状にフィットし、安価な塩化ビニールシートが好ましい。
また、接合方法は接着剤を用いてもよいが、溶着法が製作しやすく好ましい。
【０００８】
酢酸ナトリウム水溶液は６０〜６５℃以上に加熱すると融解して液体になり、その後、常温に冷却すると過冷却状態の液体になる。
この液体に結晶化を誘起する刺激（起爆）を与えると数秒の間に結晶化し、温熱体になる。
この温熱体は蓄熱された熱を徐々に放熱する。
温熱温度は酢酸ナトリウム溶液の濃度に依存し、フェイスマスク又はアイマスクとして使用するのに３８〜４２℃に設定してある。
酢酸ナトリウム水溶液中の酢酸ナトリウムの濃度としては、０．５〜０．５５ｇ／ｇ程度である。
放熱が完了したフェイスマスク又はアイマスクは沸騰水等にて数分間加熱するだけで液体に戻り、繰り返し使用できる。
【０００９】
反転可能又は復元可能な湾曲形状の金属片は結晶化を誘発するトリガーとしての役割を有するものであり、湾曲形状の金属片を数回反転させたり、湾曲部を押圧復帰させる動作を数回行うことで過冷却状態の酢酸ナトリウム水溶液に刺激を与える。
これにより結晶化し凝固することで発熱を開始する。
【考案の効果】
【００１０】
本考案に係るフェイスマスク又はアイマスクにあっては、携帯性に優れ、発熱温度が結晶化する凝固温度に依存することから安定しているため、顔面に当てた際に危険がない。
フェイスマスク又はアイマスクとして使用することで顔面の血行を促進し、リラックス効果がある。
【図面の簡単な説明】
【００１１】
【図１】フェイスマスクの例を示す。
【図２】他のフェイスマスクの例を示す。
【図３】アイマスクの例を示す。
【図４】金属片の構造例を示す。
【考案を実施するための最良の形態】
【００１２】
図１に基づいて本考案に係るフェイスマスク１０の例を説明する。
塩化ビニールの第１樹脂シート１と第２樹脂シート２をフェイス形状の袋状に部分開口部４を残して溶着し、密封袋体を形成する。
目の部分１ａ、口の部分１ｂ、必要に応じて鼻の部分１ｃ及び周縁切込み部１ｄを形成することで顔面に当てやすくしてある。
この密封袋体の部分開口部４から酢酸ナトリウム水溶液５と金属片３を入れて、部分開口部４を密封する。
なお、酢酸ナトリウム水溶液は酢酸ナトリウム無水物、酢酸ナトリウム水和物、酢酸ナトリウム３水和物のいずれかと水を混合して密封袋体に封入した後に加熱して溶液状に完全に溶解してもよい。
【００１３】
金属片３はトリガーとしての役割を有し、図４に示すように湾曲形状の一部に絞り加工部３ａ，３ｂを施し、凸部（図４の例では上部が凸部の円盤状になっている）を押圧すると反転振動するようになっている。
【００１４】
図２には鼻部１ｃとして切り込みを入れた形状のフェイスマスク１０の例を示す。
【００１５】
図３はアイマスク２０の例を示し、第１樹脂シート２１と第２樹脂シート２２との周縁部を部分開口部４を残して溶着し、密封袋体を形成し、この中にフェイスマスクと同封に金属片３と酢酸ナトリウム水溶液５を入れ、部分開口部４を溶着密封する。
アイマスク２０は、上縁部２１ａの両側から側部２１ｂを形成し、下縁部２１ｃの中央部には鼻に対応した切欠部２１ｄを形成してある。
【００１６】
このように製作したフェイスマスク及びアイマスクは常温で過冷却状態になっている。
金属片を数回反転振動させると数秒間で全体が結晶化し、約３８〜４２℃の温熱体になる。
【符号の説明】
【００１７】
１      第１樹脂シート
２      第２樹脂シート
３      金属片
【図１】
0003152946.tif 000003
【図２】
0003152946.tif 000004
【図３】
0003152946.tif 000005
【図４】
0003152946.tif 000006
(57)【要約】      （修正有）【課題】靴のデザイン性、ファッション性も重視しながら、靴の中敷き先端部分を５つに分けて、足指の変形矯正及び予防、外反母趾の予防、水虫の予防、むくみ対応、指間の汗ばみなどの不快感を解消する靴の中敷きを提供する。【解決手段】靴中敷きに革帯による指通し穴を最小限の２つ穴としたことによって革帯の厚さも最小限に抑えることができ、デザイン性、ファッション性とも求めることを可能とした。また、人差し指と薬指の太さ調整も自由に行うことができる。【選択図】図４
0003152977.tif 000002
【実用新案登録請求の範囲】
【請求項１】
靴の中敷きに４本の切り込みを入れ、その切り込みに革帯を通し、２つの指通し穴を設けたことにより、５本の指がどの指とも接しないことを特徴とした５本指区分用中敷き。
【考案の詳細な説明】
【技術分野】
【０００１】
本考案は、靴を履いたとき足の指全てが接することなく、各々に区分することが出来る靴中敷きに関する。
【背景技術】
【０００２】
靴は、５本の足指を入れて履くものであり、靴の中で足の指がぴったり接することは勿論、指が重なりあっている場合もある。近年ではデザイン性、ファッション性を重視するあまり、足指のことを無視することから、足指の変形、外反母趾等による足の痛みや長時間履いていると足がむくむ人も多い。
【０００３】
健康上からも、５本の指を接しないで履くことが出来れば、足指の変形矯正及び予防、外反母趾の予防、水虫の予防、指間の汗ばみなどの不快感の解消となる。しかし、靴の機能、デザイン性、ファッション性を重視しながら、５本の指に分けることは非常に困難である。
【先行技術文献】
【特許文献】
【０００４】
【特許文献１】実用新案登録第３０８２００６号
【考案の概要】
【考案が解決しようとする課題】
【０００５】
本考案が解決しようとする問題点は、靴のデザイン性、ファッション性も重視しながら、靴の中敷き先端部分を５つに分けて、足指の変形矯正及び予防、外反母趾の予防、水虫の予防、むくみ対応、指間の汗ばみなどの不快感を解消する靴の中敷きを提供する。
【課題を解決するための手段】
【０００６】
本考案は、靴の中敷き先端部分を５つに分けて足指の変形矯正又は防止、外反母趾の予防、水虫の予防、指間の汗ばみなどの不快感の解消及び地面に接する足指にかかる負荷の均一性が保たれることを主な特徴とする。
【考案の効果】
【０００７】
本考案の特徴は、５本指を区分することで足指の変形矯正及び予防、外反母趾の予防、水虫の予防、指間の汗ばみなどの不快感を解消する効果があるとして、サンダルや健康器具等に見受けられるが、靴はデザイン性、ファッション性などを重視することから、誰しもが日常的に履く靴そのものには見受けられない。その理由は、革帯などで５本指を区分することによって靴幅が広がることや足指の挿入が難しいことにある。そこで、靴の中で５本指を区分するのではなく、靴中敷きに靴幅を広げないため４本の切り込みを入れ、２つの指通し穴を設けた中敷きに指を入れてから、靴の中に中敷きと一緒に履くこととした。また、革帯なしの中敷きを併用することにより、５本指区分用とノーマル用の靴として履くことができる。さらに、中敷きを取り除くことで、一時的にむくんだ足にも対応が可能となり、靴自体の利用価値が広がる効果がある。この中敷きは、婦人靴、紳士靴、運動靴、サンダル等にも取り入れることができる。
【図面の簡単な説明】
【０００８】
【図１】本考案をなす５本指区分用の革帯図である。
【図２】図１の革帯を５本指区分用に形作った図である。
【図３】靴中敷きに、図２の革帯を通す４本の切り込みを入れた図である。
【図４】図３の切り込みに、図２の革帯を通した状態の中敷きを表から見た図である。
【図５】図３の切り込みに、図２の革帯を通した状態の中敷きを裏から見た図である。
【図６】中敷きに設けた２つの指通し穴に、人差し指と薬指を通した状態の図である。
【考案を実施するための形態】
【０００９】
以下、図示した本考案の実施形態について説明する。５本指区分用として、図１に示す本考案の要旨となる幅１２ｍｍ程度の革帯である。
【００１０】
図２に示す２１、２３、２５、２７の高さに当たる部分は３０ｍｍとし、指幅に当たる部分２２，２４，２６は、人差し指に当たる部分２２が、１８ｍｍ、中指部分に当たる２４が１５ｍｍ、薬指部分に当たる２６が１３ｍｍとする。ただし、この指高、指幅についてはサイズによって異なる。ここで示す数字は、２３．５ｃｍサイズの靴の場合である。
【００１１】
図３は、図２に示した革帯を通すため、靴中敷きに４本切り込み５、６、７、８を入れ、図１の革帯２の端を中敷きの裏から６の切込みに引き抜き、５の切り込みに差し入れる。同じく革帯３の端を中敷きの裏から７の切込みに引き抜き、８の切り込みに差し入れる。革帯２及び３の部分は縫い付けるか若しくは強力な接着剤等で固定する。６、７の切り込みを通した革帯は固定しないでフリーにしておく。
【００１２】
図４は、中敷きを表から見た図であり、人差し指と薬指を差し込む２つの指通し穴が出来た状態である。
【００１３】
図５は、中敷きを裏から見た図であり、図１に示す２と３の端の部分は中敷きの裏にしっかりと固定する。図２で示す２４の部分は、図４で示す人差し指と薬指を差し込む２つの指通し穴の太さ調整が自由にできるよう固定しない。
【００１４】
図６は、人差し指と薬指を中敷きの２つの指通し穴に通した状態であり、この状態で靴の中に中敷きと一緒に差し入れて、しっかりと靴に合わせる。これで、５本の指はどの指とも接することがなくなる。２つの指通し穴で区分するため靴幅は殆んど広げる必要がなく、デザイン性、ファッション性も失われない。
【符号の説明】
【００１５】
１  革帯
２  革帯固定部
３  革帯固定部
４  靴中敷き
５  切り込み
６  切り込み
７  切り込み
８  切り込み
２１  指高部
２２  指幅部
２３  指高部
２４  指幅部
２５  指高部
２６  指幅部
２７  指高部
【図１】
0003152977.tif 000003
【図２】
0003152977.tif 000004
【図３】
0003152977.tif 000005
【図４】
0003152977.tif 000006
【図５】
0003152977.tif 000007
【図６】
0003152977.tif 000008
(57)【要約】      （修正有）【課題】錆びない鉄製のウエイト本体を有するとともに、ホイールと密着性のよいバランスウエイトを提供する。【解決手段】バランスウエイトは少なくとも１つの長方形の鉄製のウエイト本体と、ウエイト本体の空気に露呈される部分を少なくとも覆う樹脂製のカバーと、を有する。ウエイト本体はその底部がホイールの内側形状に合わせた形状に形成されている。ウエイト本体の底部に貼付け材料が設けられている。【選択図】図１
0003152974.tif 000002
【実用新案登録請求の範囲】
【請求項１】
少なくとも１つの長方形の鉄製のウエイト本体と、ウエイト本体の空気に露呈される部分を少なくとも覆う樹脂製のカバーと、を有することを特徴とするバランスウエイト。
【請求項２】
請求項１に記載のバランスウエイトにおいて、前記ウエイト本体はその底部がホイールの内側形状に合わせた形状に形成されていることを特徴とするバランスウエイト。
【請求項３】
請求項１または請求項２に記載のバランスウエイトにおいて、ウエイト本体の底部に貼付け材料が設けられていることを特徴とするバランスウエイト。
【考案の詳細な説明】
【技術分野】
【０００１】
本考案は、バランスウエイトに関するものである。
【背景技術】
【０００２】
従来例の貼付式バランスウエイトが特開２００３−３２９０８５号公報に開示されている。この公報に記載の貼付式バランスウエイトは、長方形の板材からなる1以上のウエイト本体と、ウエイト本体の底部に貼付された両面テープと、ウエイト本体の頂部に貼付された目隠しテープとからなる。目隠しテープはバランスウエイトの貼付部と同色又は類似の色からなり、例えば、樹脂製である。ウエイト本体は非鉛製の金属材料からなり、例えば、鉄製である。
【先行技術文献】
【特許文献】
【０００３】
【特許文献１】特開２００３−３２９０８５号公報
【考案の概要】
【考案が解決しようとする課題】
【０００４】
前述の従来例のバランスウエイトでは、その頂部に樹脂製の目隠しテープが貼付されているが、前後および両側の側部が空気に露呈されており、この結果、鉄製のウエイト本体が錆びることになる。また、ウエイト本体が平面上の板材であり、ホイールに貼付けるとき、ホイールに密着できないため、バランスウエイトは剥がれ易いものである。
【０００５】
したがって、本考案の目的は、錆びない鉄製のウエイト本体を有するバランスウエイトを提供することにある。
【０００６】
また、本考案の目的は、錆びない鉄製のウエイト本体を有するとともに、ホイールと密着性のよいバランスウエイトを提供することにある。
【課題を解決するための手段】
【０００７】
本考案は、少なくとも１つの長方形の鉄製のウエイト本体と、ウエイト本体の空気に露呈される部分を少なくとも覆う樹脂製のカバーと、を有することを最も主要な特徴とする。
【考案の効果】
【０００８】
本考案のバランスウエイトは、ウエイト本体が錆びず、また、その底部がホイールの内側形状に合わせた形状に形成されているためホイールの内側に対して密着性がよいという利点がある。
【図面の簡単な説明】
【０００９】
【図１】図１は本考案のバランスウエイトの全体を示す図である。
【図２】図２は本考案のバランスウエイトに用いられるある大きさのウエイト本体を示す図である。
【図３】図３は本考案のバランスウエイトに用いられる他の大きさのウエイト本体を示す図である
【考案を実施するための形態】
【００１０】
樹脂製のカバーでウエイト本体の空気に露呈される部分を少なくとも覆う。またはウエイト本体の全体を樹脂製カバーで覆ってもよい。ウエイト本体の底部がホイールの内側形状に合わせた形状に形成されている。ウエイト本体の底部にホイールに貼付けるための貼付け材料、例えば、両面テープが設けられている。両面テープは個々のウエイト本体ごとに設けられてもよいが、多数の並置したウエイト本体を１つの両面テープに貼付けてもよい。
【実施例１】
【００１１】
次に、図面を参照して、本考案の実施例のバランスウエイトを説明する。図１ａはバランスウエイトの平面図であり、図１ｂはバランスウエイトの側部断面図であり、図１ｃは図１ｂの四角い点線の拡大図である。
【００１２】
図１に示すように、バランスウエイト１０はウエイト本体１２を有し、この実施例では、ウエイト本体１２は大小２つのウエイト本体１２（大きいウエイト本体１２ａ、小さいウエイト本体１２ｂ）からなる。ウエイト本体は従来使用されていた公害問題を引き起こす鉛製に代えて鉄製のものが使用されている。
【００１３】
ウエイト本体１２はホイ−ルに貼付けられたときに、少なくとも空気に露呈される部分、すなわち、ウエイト本体の頂部、両側部および前後部分が樹脂１４によって覆われている。
【００１４】
ウエイト本体１２は個々に全体を樹脂で覆ってもよいが、製造上、使用上の便利さから実施例のように複数のウエイト本体を並置した状態で一括して樹脂で覆うのが好ましい。隣り合うウエイト本体の間では、樹脂は、図１ｃに示すように、Ｕ字状断面を持つように形成されており、これによって、その部分からウエイト本体同士を切り離して使用できるようになっている。
【００１５】
ウエイト本体１２をホイールに貼付けるための貼付け材料（接着材）は任意の適切な部品や材質のものでよいが、実施例で示すように、両面テープ１６を予め貼付けておくと、切り離したウエイト本体を両面テープの裏面を剥がすことにより、ホイールに簡単に貼付けることができるので、両面テープ１６が好ましい。
【００１６】
次に、図２、図３を参照すると、大小２つのウエイト本体１２が示されている。2種類のウエイト本体を準備することにより、ウエイト本体の重量を選択でき、またウエイト本体の組み合わせにより重量の選択の幅を広げることができる。
【００１７】
ウエイト本体の底部（および頂部）はホイールの内側形状に合わせたＲが設けられており、これにより、ウエイト本体１２がホイールの内側に貼付けられたとき、ほぼ完全に密着する状態となるので、従来例の平らなウエイト本体がホイールから剥離しやすいのに比べて、ホイールからの剥離を防止できる。
【符号の説明】
【００１８】
１０  バランスウエイト
１２  ウエイト本体
１２ａ  大きいウエイト本体
１２ｂ  小さいウエイト本体
１４  樹脂
１６  両面テープ
【図１】
0003152974.tif 000003
【図２】
0003152974.tif 000004
【図３】
0003152974.tif 000005
(57)【要約】      （修正有）【課題】晴眼者だけでなく視覚障害者にも二次元コードの存在を認識しやすくした表示体を提供する。【解決手段】二次元コード表示体１は、二次元コードの表示部２と、注意喚起部３とを備える。表示部２には、表示媒体４としての薄いシートの主面上に全体が正方形の輪郭をなすように二次元コードを印刷する。媒体４の裏面は粘着剤を介して掲示板５に貼り付ける。注意喚起部３は、表示部２の周囲に前記二次元コードの輪郭に沿って等間隔に且つ媒体４の厚さよりも高くなるように掲示板５上に形成された２０個の突起６、６・・・６からなる。各突起６は、平面視円形、断面視半円形をなし、ゴム、プラスチック又はステンレスからなる。【選択図】図１
0003152955.tif 000002
【実用新案登録請求の範囲】
【請求項１】
表示媒体の主面上に形成された二次元コードの表示部と、
この表示部を囲み且つ前記表示媒体の主面に対して交差する方向に高さ又は深さをもって形成された突起及び窪みの一種以上からなる注意喚起部と
を備えることを特徴とする視覚障害者用二次元コード表示体。
【考案の詳細な説明】
【技術分野】
【０００１】
この考案は、晴眼者だけでなく視覚障害者にも二次元コードの存在を認識しやすくした表示体に関する。
【背景技術】
【０００２】
近年、ＱＲコード（登録商標）、ＳＰコード（登録商標）などと称される二次元コードが普及し、街角でもよく見られ、一般に利用されている（特許文献１）。
【先行技術文献】
【特許文献】
【０００３】
【特許文献１】特許第２９３８３３８号公報
【考案の概要】
【考案が解決しようとする課題】
【０００４】
しかし、二次元コードは、一般に印刷技術や画像表示技術にて平面的に表示されているので、視覚障害者にはその存在がわかりにくい。
それ故、この考案の課題は、晴眼者だけでなく視覚障害者にも二次元コードの存在を認識しやすくした表示体を提供することにある。
【課題を解決するための手段】
【０００５】
その課題を解決するために、この考案の表示体は、
表示媒体の主面上に形成された二次元コードの表示部と、
この表示部を囲み且つ前記表示媒体の主面に対して交差する方向に高さ又は深さをもって形成された突起及び窪みの一種以上からなる注意喚起部と
を備えることを特徴とする。
この表示体によれば、注意喚起部が立体的に形成されているので、視覚障害者が先ず触覚で注意喚起部の存在を容易に認識する。注意喚起部は、二次元コードの表示部を囲むように形成されているので、その内側に二次元コードが表示されていることを直ぐに推定することができる。注意喚起部は、表示部を囲むように形成されているだけであるから、晴眼者の視野を妨げることはない。
【考案の効果】
【０００６】
晴眼者だけでなく視覚障害者にも二次元コードの存在が認識しやすくされているので、視覚障害者が情報を得るのに便利であり、二次元コードの利用価値及び範囲が広がる。
【図面の簡単な説明】
【０００７】
【図１】（ａ）は実施形態１に係る二次元コード表示体を示す平面図、（ｂ）は（ａ）におけるＢＢ断面図である。
【図２】（ａ）は実施形態２に係る二次元コード表示体を示す平面図、（ｂ）は（ａ）におけるＢＢ断面図である。
【図３】実施形態３に係る二次元コード表示体を示す平面図である。
【考案を実施するための形態】
【０００８】
−実施形態１−
第一の実施形態を図面とともに説明する。この実施形態の二次元コード表示体１は、図１に示すように、二次元コードの表示部２と、注意喚起部３とを備える。表示部２は、表示媒体４としての薄いシートの主面上に全体が正方形の輪郭をなすように二次元コードが印刷されたものである。媒体４の裏面は粘着剤（図示省略）を介して掲示板５に貼り付けられている。注意喚起部３は、表示部２の周囲に前記二次元コードの輪郭に沿って等間隔に且つ媒体４の厚さよりも高くなるように掲示板５上に形成された２０個の突起６、６・・・６からなる。各突起６は、平面視円形、断面視半円形をなし、ゴム、プラスチック又はステンレスからなる。
【０００９】
−実施形態２−
第二の実施形態を図面とともに説明する。この実施形態の二次元コード表示体１１は、図２に示すように二次元コードの表示部２と、注意喚起部１３とを備える。表示部２は、実施形態１におけるものと同形同質であるので、説明を省略する。注意喚起部１３は、表示部２の周囲に前記二次元コードを囲むように且つ媒体４の厚さよりも高くなるように掲示板５上に形成された一つの突起１６からなる。突起１６は、平面視四角枠状をなし、ゴム、プラスチック又はステンレスからなる。
【００１０】
−実施形態３−
第三の実施形態を図面とともに説明する。この実施形態の二次元コード表示体２１は、図３に示すように、二次元コードの表示部２と、注意喚起部２３とを備える。表示部２は、実施形態１におけるものと同形同質であるので、説明を省略する。注意喚起部２３は、表示部２の周囲に前記二次元コードの輪郭に沿って等間隔に且つ媒体４の厚さよりも高くなるように掲示板５上に形成された１０個の突起２６からなる。各突起２６は、長辺が二次元コードの輪郭と平行な直方体状をなし、ゴム、プラスチック又はステンレスからなる。
【００１１】
−その他の実施形態−
以上の実施形態では注意喚起部がいずれも突起からなっていたが、実施形態１における２０個の突起６、６・・・６に代えて２０個の逆ドーム状の窪みを形成してもよい。また、実施形態２、３における突起１６、２６に代えて四角枠状あるいは直方体状の窪みを形成しても良い。更にまた、表示媒体４としてのシートは、掲示板に貼り付けられるものに限らず、手摺りに貼り付けられても良い。ポスター紙、ブラウン管、液晶ディスプレイなどが直接的に表示媒体として用いられてもよい。
【符号の説明】
【００１２】
１、１１、２１  二次元コード表示体
２  表示部
３、１３、２３  注意喚起部
４  表示媒体
【図１】
0003152955.tif 000003
【図２】
0003152955.tif 000004
【図３】
0003152955.tif 000005
(57)【要約】【課題】添え木植物補強固定具を提供する。                  【解決手段】横棒に挟み込み可能な切れ目の有る取り付け部分１を設け、その両側又は、片方に添え木を挿通す穴２を設け、添え木の下の部分を土に差し込む事で固定出来る添え木植物補強固定具。  更に、蔓植物・倒れやすい植物を補強する為、添え木を挟み込む部分１と他方の穴の内側面に複数の突起を設け、植物の茎を挟み込み可能な切れ目を有する弾性体を特長とする添え木植物補強固定具。【選択図】  図１
0003152960.tif 000002
【実用新案登録請求の範囲】
【請求項１】
一方側には支柱間を架ける１または２以上の横棒に挟み込む部分と、他方側には添え木を挿通し得る穴を有する弾性体から成ることを特徴とする添え木植物補強固定具。
【請求項２】
前記添え木を挿通し得る穴の内側面に複数の突起を設け、また植物を挟み込み可能な切れ目を有する弾性体からなることを特徴とする請求項１記載の添え木植物補強固定具。
【考案の詳細な説明】
【技術分野】
【０００１】
本考案は、あらかじめ主柱に水平な棒を接続した任意の位置に添え木植物補強固定具を押し込む事で水平な棒を挟み固定し、他方に添え木を通す穴を設け、添え木を挿通し、下の部分を土に差し込む事で添え木を取り付けられる添え木植物補強固定具で有り、また、その添え木に蔓植物・倒れやすい植物を補強する為、添え木を挟み込み固定し他方の複数の突起を設けた切れ目の有る弾性体の穴に、蔓植物・倒れやすい植物を挟み込む事で固定できる添え木植物補強固定具で有る。
【背景技術】
【０００２】
従来は、蔓植物・倒れやすい植物は添え木1本1本を水平な横棒に、紐で括り固定し、更に、添え木に蔓植物・倒れやすい植物を紐で括り固定していた。
【考案の概要】
【考案が解決しようとする課題】
【０００３】
その為、次のような問題点があった。
（イ）まず添え木を固定する為、予め支柱に渡した横棒に添え木を紐で括り固定した為、設置、撤去に長時間を要した。
（ロ）更に、添え木に植物を固定する為、数箇所を紐で括り倒れない様にする為、上記同様長時間を要した。
（ハ）植物の成長により、更に、数箇所を紐で括り固定する事が必要であった。
本考案は、以上の問題を解決するためのものである。
【課題を解決するための手段】
【０００４】
あらかじめ主柱に設置した横棒に添え木植物補強固定具の取り付け部分で挟み込むことで設置し、他方の穴に添え木を通し添え木の下を土に差し込む事で添え木を固定する事の出来る添え木植物補強固定具である。
また、添え木を挟み込み固定した他方側の内側に複数の突起の有る切れ目の穴に植物を挟み込成長の状態により、移動または、任意の場所に追加設置可能にする事を特徴とした添え木植物補強固定具である。
【考案の効果】
【０００５】
あらかじめ設置した横棒に、切れ目の有る挟み込み可能な弾性体からなる添え木植物補強固定具を任意の場所に複数個設置し、一方側の穴に添え木を挿通すことで設置でき、また、紐で括らない為、必要に応じて添え木を移動・撤去することを可能にした。
また、添え木植物補強固定具を同様に添え木に挟み込み他方の内面に複数の突起を設けた切れ目より植物を挟み込み固定可能にしたことで植物の茎を傷付けず固定でき、また、植物の成長状態で任意の場所に固定位置を移動追加できる。
【考案を実施するための最良の形態】
【０００６】
以下、本考案の実施の形態に付いて説明する。
（イ）あらかじめ主柱に水平な横棒に挟み込む事で設置可能な切れ目のある取り付け部分を設け、他方側に添え木を挿通す穴を設けた添え木植物補強固定具を提供し。
（ロ）設置後移動の必要が生じた場合、任意の位置に移動可能にした。
（ハ）一方側に挟み込み可能な切れ目を設けた部分で添え木に固定し、他方側の内側面に複数の突起を設けた切れ目のある穴に植物を挟込み植物が倒れない様に固定する添え木植物補強固定具を提供する。
（ニ）植物の成長状況により固定位置の移動変更の必要が生じた場合、任意の位置に移動可能にした。
その結果、労働時間の短縮に繋がり、経済的である事は間違いない。
【図面の説明】
【０００７】
図１図２の４は、支柱にあらかじめ渡した横棒を３の位置まで押し挟み込み１の部分で固定し安定させる。
２は、添え木を挿通す穴である。
【０００８】
図３の７は、添え木植物補強固定具を支柱に渡した横棒に固定し他方の穴に添え木１０を挿通し下の部分を任意の場所の土に挿し添え木を固定した見取り図である。
【０００９】
図４図５の４は、添え木を３まで押し挟み１の部分で固定し安定させる。
５は、６の切れ目より植物を押し込まれた植物の茎を弾性体より成る複数の突起で安定固定する部分である。
【００１０】
図６は、添え木１０の任意の場所に添え木植物補強固定具８を設置した見取り図である。
【００１１】
図７図８は、添え木１０に添え木植物補強固定具８を設置し、蔓植物・倒れやすい植物を固定した見取り図である。
【図面の簡単な説明】
【００１２】
【図１】添え木植物補強固定具の平面図
【図２】添え木植物補強固定具の立面図
【図３】添え木植物補強固定具を設置した見取り図
【図４】添え木植物補強固定具の平面図
【図５】添え木植物補強固定具の立面図
【図６】添え木植物補強固定具を添え木に設置した見取り図
【図７】倒れやすい植物を添え木植物補強固定具に固定した見取り図
【図８】蔓植物を添え木植物補強固定具に固定した見取り図
【符号の説明】
【００１３】
１            横棒及び添え木を押し込み挟み込む部分
２            添え木を通す穴
３            横棒及び添え木を挟み込み固定する部分
４            横棒を通す切れ目
５            複数の突起
６            植物の茎を通し固定する切れ目
７            横棒に設置した添え木植物補強固定具
８            添え木に設置した添え木植物補強固定具
９            横棒
１０          添え木
【図１】
0003152960.tif 000003
【図２】
0003152960.tif 000004
【図３】
0003152960.tif 000005
【図４】
0003152960.tif 000006
【図５】
0003152960.tif 000007
【図６】
0003152960.tif 000008
【図７】
0003152960.tif 000009
【図８】
0003152960.tif 000010
(57)【要約】      （修正有）【課題】手を汚すことなく使用できる、衛生的にして効果的な犬等の糞の回収具を提供する。【解決手段】ループ状部材１と把手部１０２を設け、ループ状部材１内に係止されるバッグ２とを備える。把手部１０２には、バッグの端部を通す孔１１０を設け、バッグ２の脱落を防止する。ループ状部材１には、スカート部１０１を設ける。【選択図】図１
0003152939.tif 000002
【実用新案登録請求の範囲】
【請求項１】
ループ状部材と把手部を設け、該ループ状部材内に係止されるバッグとを備えたことを特徴とする犬等の糞の回収具
【請求項２】
前記把手部には、バッグの端部を通す孔を設けたことを特徴とする請求項１記載の犬等の糞の回収具
【請求項３】
前記ループ状部材には、スカート部を設けたことを特徴とする請求項１又は２記載の犬等の糞の回収具
【考案の詳細な説明】
【技術分野】
【０００１】  本考案は、犬等の家庭などで飼っている動物の糞の回収具に関するものである。
【背景技術】
【０００２】従来、例えば、犬を散歩させるとき困るのは、犬等がする糞の回収であるが、紙等を持参して掴んで行うものが通常であった。【０００３】  しかし、この場合には、手を汚したり、新聞紙等で包む時に上手くいかず非衛生的であるという欠点があった。これは町の環境状態や美観をもそこなうものであり、ペットを飼うものにとって悩みの種でもあった。従来もこの回収具に関しては、種々のものが提案されてきたが、構造が複雑であったり、取扱の難しいものが多く、携帯ににも嵩張る等の問題点があった。
【先行技術文献】
【特許文献】
【０００４】
【特許文献１】特開２００７−２７４９１６号公報
【特許文献２】特開２００５−３７１５８７号公報
【特許文献３】特開２００４−２７０５４４号公報
【特許文献４】特開２００４−１９４６３２号公報
【特許文献５】特開２００３−９２９４４号公報
【考案の概要】
【考案が解決しようとする課題】
【０００５】  本考案が解決しようとする問題点は、手を汚すことなく、衛生的にして効果的な犬等の糞の回収具を提供しようとするものである。
【課題を解決するための手段】
【０００６】  ループ状部材と把手部を設け、該ループ状部材内に係止されるバッグとを備えた犬等の糞の回収具であって、前記把手部には、バッグの端部を通す孔を設け、バッグの脱落を防止するものを提供する。【０００７】前記ループ状部材には、スカート部を設けた犬等の糞の回収具であって、バッグの係着をよくするものである。
【考案の効果】
【０００８】  本考案の回収具は、持ち運びが便利であり、しかも手を汚さずに、犬等の糞を回
でき、しかも迅速に行うことができ、更には、非使用時には、携帯にも嵩張らず、衛生的なものである。
【図面の簡単な説明】
【０００９】
【図１】図１は、本考案の実施例を示した説明図である。
【図２】図２は、本考案の実施例の使用方法を示した説明図である。
【図３】図３は、本考案の実施例の全体の使用方法を示した説明図である
【考案を実施するための形態】
【００１０】    以下本考案の実施される例を、図面を参照し説明をする。
【実施例１】
【００１１】  図１は、本考案装置の１実施例の図であって、回収具は、ループ状部材（１）とバッグ（２）を備えている。
ループ状部材（１）は、円形状でも、又楕円状、更には角形状とすることも可能である。ループ状部材（１）には、図１に示されるようにバッグ（２）が挿入される穴（１０）が設けられている。穴（１０）には、好ましくは、スカート部（１０１）があって、バッグ（２）が挿入されるとき、係着・支持を良くすることができる。スカート部（１０１）は、図１、図２の（１）に示されるように、下方に向かって円錐状となることで、バッグ（２）を装着してバッグ（２）を裏返した時に抜けにくくなり、更に、バッグ（２）を矢張り円錐形にしておけば、より抜け難くする作用がもたらされる。【００１２】即ち、スカート部（１０１）の形状は、下方に行くに従い、狭くなるので、ループ状部材（１）の寸法よりも小径となるので、バッグ（２）を裏返した時に、引っ掛かりの係着部として利用できる利点がある。【００１３】更には、バッグ（２）の引っ掛かりを良くするために、ループ状部材（１）はその頭部（１１０）が、スカート部（１０１）より、図１に示されるように、その断面が円形となる膨出する形状としておけば、折り曲げたバッグ（２）が、更に引っかかり易くなる。【００１４】又、バッグ（２）の口径をループ状部材（１）の寸法よりも小径としておけば、後記するように、バッグ（２）を裏返した時に、引っ掛かりの係止部として利用できる利点もある。【００１５】またループ状部材（１）の端部には、把手部（１０２）が設けられており、この部分を手で握ることになる。
把手部（１０２）には、特に、ループ状部材（１）近くに孔（１１０）を設けておくことができる。この孔（１１０）は、複数設けておくこともできる。その利用法は、バッグ（２）をループ状部材（１）に装着したときに、バッグ（２）の端部を通す為のものである。【００１６】次に、その使用法について述べる。
図３の（１）に示すように、まず、バッグ（２）をループ状部材（１）の穴（１０）へ通される。次いで、図３の（２）に示すように、バッグ（２）を広く開口して、前記穴（１０）の周囲に裏返して引っ掛けることになる。これで、バッグ（２）の端部が引っ掛かるので、抜け難い状態となる。【００１７】次いで、図３の（３）に示すようになるので、準備が完了する。
その際、一方の袋を、図示のように捩って細長としてよじり、把手部（１０２）の孔（１１０へ下から上方へ通す。すると、その先端が出るので（特に、図２の（２）に示されるように）、親指で先端Ａを、把手部（１０２）を握るときに上から押さえれば、バッグ（２）の抜け落ちを防止することもできる。【００１８】図３の（４）に示されるように、糞の回収には、犬が排糞しているときに、直接、その尻部にあてがうことで、バッグ（２）内へ落下して収納される。後は、図３の（５）に示されるように、バッグ（２）を下方へ手で引っ張って外して、図３の（６）に示されるように、バッグ（２）の開口を閉じて、図３の（７）に示されるように処分する準備ができる。【００１９】また、既に、地面に捨てられている状態の糞については、回収具を逆さまにして、糞へ被せて、手で糞を掴み、再びひっくり返して、前記のように外すことで回収が終了するこのも可能である。【００２０】以上、上記実施例の限定されることなく、本考案の技術思想の範囲内において、当業者によって，種々の変形例が可能であることは勿論である。
【符号の説明】
【００２１】１        ループ状部材
１０      穴
１０１    スカート部
１０２    把手部
１１０    孔
２        バッグ
【図１】
0003152939.tif 000003
【図２】
0003152939.tif 000004
【図３】
0003152939.tif 000005
(57)【要約】      （修正有）【課題】薄い生地で指の折り曲げが柔らかく、表面の弾性糸が摩耗擦り切れしない手袋を提供する。【解決手段】１３ゲージから１８ゲージまでの全自動シームレス手袋編み機を用いて、アラミド長繊維と弾性力を有した別の糸を同時に編み込んだことを特徴とする。【選択図】図２
0003152931.tif 000002
【実用新案登録請求の範囲】
【請求項１】
１３ゲージから１８ゲージまでの全自動シームレス手袋編み機を用いて、アラミド長繊維を含む伸縮性の乏しい糸と弾性糸を同時に編み込んだ作業手袋。
【考案の詳細な説明】
【技術分野】
【０００１】  この考案は手袋編み機を用いて制作されるアラミド長繊維の作業手袋に関するものである。
【背景技術】
【０００２】  従来のアラミド作業手袋は、７ゲージから１０ゲージまでの全自動シームレス手袋編み機を用いて製作された手袋だが、糸が太く生地が分厚いため、指の折り曲げが硬く、細かな作業には適していなかった。
【考案の概要】
【考案が解決しようとする課題】
【０００４】  ７ゲージから１０ゲージまでの全自動シームレス手袋編み機を用いて製作したアラミド作業手袋は、生地が分厚いため、精密な作業や手袋の下に装着するアンダー手袋としては作業効率を低下させる問題点があった。【０００５】  ７ゲージから１０ゲージまでの全自動シームレス手袋編み機を用いて製作したアラミド作業手袋に弾性糸を表側に編み込んだ場合、表側の弾性糸は対象物の影響で摩耗が発生し、弾性糸の擦り切れが原因の伸縮機能劣化が、手と手袋の密着力を弱めてしまう問題点を解決しようとするものである。【０００６】  上述のような問題点を解決するために、薄い生地で指の折り曲げが柔らかく、表面の弾性糸が摩耗擦り切れしない手袋を製作するために、１３ゲージから１８ゲージまでの全自動シームレス手袋編み機を用いてアラミド長繊維手袋を製作したが、糸の硬質な特性により、編み目に捩れた傷や糸を引っ張った傷が多く、製品としての価値を下げる問題点があった。
【課題を解決するための手段】
【０００７】  この考案は、硬質で伸縮性の乏しいアラミド長繊維の特性が、１３ゲージ全自動シームレス手袋編み機から１８ゲージ全自動シームレス手袋編み機までの機種に対応しきれない欠点があることに着目し、弾性力を有した別の糸を同時に編み込み、手袋の裏面に弾性糸を出し、表面にはアラミド長繊維が弾性糸を覆いかぶさるように製作することで磨耗擦り切れの問題点を解決している。【０００８】  この考案は、１３ゲージ全自動シームレス手袋編み機から１８ゲージ全自動シームレス手袋編み機までの機種を用いて、アラミド長繊維と弾性力を有した別の糸を同時に編み込み、硬質で伸縮性の乏しいアラミド長繊維に弾性力の影響を与えることができた。従って、ニードル本来の機能を回復させることができ、編み目の捩れた傷や糸を引っ張った傷の問題点を解決している。【０００９】  この考案は、１３ゲージ全自動シームレス手袋編み機から１８ゲージ全自動シームレス手袋編み機までの機種を用いて、アラミド長繊維と弾性糸を同時に編み込むことで、手袋全体に伸縮力が備わり、脱着がスムーズで指の折り曲げ機能が向上し、手袋の生地が薄くなったことで、精密な作業や手袋の下に装着するアンダー手袋としての作業効率を低下させる問題点を解決している。
【考案の効果】
【００１０】  この考案はアラミド繊維の特性である耐火性と耐切創強度の機能を維持し、細い糸による編み目数を増やすことで、従来の分厚いアラミド長繊維手袋と同レベルの機能を得ることができる。編み目の捩れた傷や糸を引っ張った傷を無くすことを目的とした弾性力を有した別の糸を同時に編み込んだ手袋が、スムーズな脱着機能と指の折り曲げ機能を向上させ、アラミド長繊維を表面に出すことで、弾性力を有した糸の摩耗による擦り切れが防止される。また、手袋全体の伸縮機能の向上と各種作業の安全性、正確性、効率性を高めることに役立つ。
【図面の簡単な説明】
【００１１】
【図１】  この考案の実施の形態１を示す作業手袋の正面図である。
【図２】  この考案の実施の形態１の手袋の断面図である。
【考案を実施するための形態】
【実施例１】
【００１２】  図１は、この考案の一実施の形態を示す作業手袋の正面図である。図２は図１に示す手袋でアラミド長繊維と弾性力を有した糸の構造を示す図である。図において、１は手袋本体であり、１３ゲージ全自動シームレス手袋編み機から１８ゲージ全自動シームレス手袋編み機までの機種を用いて、アラミド長繊維と弾性糸を同時に編み込んで形成されている。２はアラミド長繊維であり、手袋の表面に糸を出して形成されている。３は弾性糸であり、手袋の裏面に糸を出して形成されている。従って、弾性糸の伸縮機能が手袋全体の伸縮機能を向上させ、表面のアラミド長繊維が裏面の弾性力を有した糸を保護している。自動車を製造する作業工程や、食肉加工の作業工程等では、人体に危険な材料や道具、刃物が常備されている。特に手で物を掴んだりする作業では切創事故や火傷事故の危険度は急激に高まってくる。アラミド繊維手袋は耐火性と切創強度の優れた特性により、従来から各種作業現場で手の事故を防止する目的で使用されているが、手袋の生地が分厚いことや、伸縮性に乏しいことから、細かな手作業には正確性と効率性に問題を生じている。本考案はアラミド繊維の特性である耐火性と耐切創強度を維持した上で、細かな手作業でも対応できるように、細い糸で生地を薄くし、伸縮性を持たせることで脱着がスムーズになり、指の折り曲げ機能を向上させたものである。
【符号の説明】
【００１３】    １  作業手袋本体、２  アラミド長繊維、３  弾性力を有した別の糸
【図１】
0003152931.tif 000003
【図２】
0003152931.tif 000004
(57)【要約】      （修正有）【課題】食品を入れた容器を密封した薄い膜蓋をはがすにあたり、高齢者など指先の力が弱い人でも容易に使える膜蓋はがし器具を提供する。【解決手段】先端から長手方向に一部分が２分割された細い棒１と握り部２で構成する。細い棒１の先端は、膜蓋の一部に舌状に出してあるツマミ部に差し込み易くするため、開き気味とする。握り部２は楽に保持できる程度の大きさにし、転がりを防止するため、丸軸は避ける。使用に当たっては、薄い膜蓋のツマミ部分に、細い棒１の２分割した部分をツマミ部に差込、握り部分２を回転させ、ツマミ部分を巻き込んで膜蓋を剥がす。【選択図】図１
0003152934.tif 000002
【実用新案登録請求の範囲】
【請求項１】
握り部分と細長い棒状の形状を有し、その細い棒状の部分を、先端より一部長手方向に二分割した構造を特徴とする、膜蓋はがし器具。
【考案の詳細な説明】
【技術分野】
【０００１】  本考案は、食品を容器に密閉した薄い膜蓋をはがす器具に関するものである。
【背景技術】  従来、容器に食品を密閉した薄い膜蓋は、膜の一部に舌状に出したツマミを設けてあり、その部分を指で摘んで剥がしている。
【考案の開示】
【考案が解決しようとする課題】
【０００３】  しかし、歳の高齢化に伴い指先の力が弱くなり、容器に張られた薄い膜蓋を剥がすのに苦労している人が多い。  特に容器が濡れている場合は、ツマミが滑って剥がせない場合が多い。
【課題を解決するための手段】
【０００４】  そこで、指で摘んでいた薄い膜蓋のツマミの部分を、棒状の二分割した部分に挟みこみ、大きくした握り部分で回転させ、ツマミ部分を巻き込んで、膜蓋を剥がすことを考案した。
【考案の効果】
【０００５】  よって、握り部分の梃子の力により、わずかな力で二分割した部分に、膜蓋のツマミ部分が巻き取られ、膜蓋の一部が容器から剥がれ、後は手で楽に剥がすことが出来る。
【考案を実施するための最良の形態】
【０００６】  本考案に係わる膜蓋はがし器具は、図に示すように、先端から長手方向に一部二分割された細い棒１と握り部２から構成される。    先端から長手方向に二分割された細い棒１は、より細い方が効果が良く、先端は膜蓋のツマミ部が入りやすく開き気味とする。      握り部２は、楽にに保持できる程度の大きさとし、転がりを防止するため、丸軸は避けた方が良い。  平板から一体成形する場合は、曲面を設けた方が取り扱いが楽になる。
【図面の簡単な説明】
【０００７】
【図１】  本考案に係わる膜蓋はがし器具の立体図を示す。
【符号の説明】
【０００８】    １        先端より、一部長手方向に二分割された細い棒
２        握り部
【図１】
0003152934.tif 000003